(57)【要約】【課題】本発明は、製造費用を低減させ、駆動の信頼性を向上させることができるプラズマディスプレイ装置及びその駆動方法を提供するためのものである。【解決手段】本発明は、スキャン電極及びサステイン電極を含むプラズマディスプレイパネルと、前記スキャン電極と前記サステイン電極に同一なエネルギー格納部と同一なインダクタ部を通じてサステインパルスの供給のためのエネルギーを供給する単一エネルギー回収回路部と、前記スキャン電極と前記サステイン電極にサステインパルスを供給する単一サステインパルス生成部とを含む単一サステイン駆動ボードと、を含む。  これによって、本発明はプラズマディスプレイ装置の製造費用を低減させ、空間活用度を向上させることができる効果がある。また、回路の信頼度を上げることができる効果がある。【選択図】図２
2006251803.tif 000002
【特許請求の範囲】
【請求項１】
スキャン電極及びサステイン電極を含むプラズマディスプレイパネルと、
前記スキャン電極と前記サステイン電極に同一なエネルギー格納部と同一なインダクタ部を通じてサステインパルスの供給のためのエネルギーを供給する単一エネルギー回収回路部及び前記スキャン電極と前記サステイン電極にサステインパルスを供給する単一サステインパルス生成部を含む単一サステイン駆動ボードと、
を含むことを特徴とするプラズマディスプレイ装置。
【請求項２】
前記単一サステイン駆動ボードは、
前記スキャン電極及び前記サステイン電極と一端が接続され、他端は前記単一エネルギー回収回路部と接続されて前記サステインパルスを前記スキャン電極と前記サステイン電極に交互に供給するようにするスイッチ部を更に含むことを特徴とする請求項１に記載のプラズマディスプレイ装置。
【請求項３】
前記スイッチ部は、
プッシュプルでターン−オンされて前記スキャン電極及び前記サステイン電極に前記サステインパルスを交互に供給するようにする第１スイッチ部と第２スイッチ部を含むことを特徴とする請求項２に記載のプラズマディスプレイ装置。
【請求項４】
前記単一サステイン駆動ボードは一側が電極パッドを通じて前記スキャン電極と接続され、他側が共通電極ラインを通じて共通連結された複数のサステイン電極と接続されることを特徴とする請求項１に記載のプラズマディスプレイ装置。
【請求項５】
前記共通電極ラインは複数個であり、各々の共通電極ラインは前記複数のサステイン電極のうち、一部と連結されたことを特徴とする請求項４に記載のプラズマディスプレイ装置。
【請求項６】
前記複数の共通電極ラインは２つであることを特徴とする請求項５に記載のプラズマディスプレイ装置。
【請求項７】
スキャン電極及びサステイン電極を含むプラズマディスプレイパネルと、
前記スキャン電極と前記サステイン電極に印加されるサステインパルスの供給を制御する単一エネルギー回収回路部と、
前記単一エネルギー回収回路部と前記スキャン電極との間に接続されて前記スキャン電極に印加されるサステインパルスの供給を制御する第１スイッチ部と、
前記単一エネルギー回収回路部と前記第１スイッチ部との間に一端が共通接続され、他端は前記サステイン電極に接続されて前記サステイン電極に印加されるサステインパルスの供給を制御する第２スイッチ部と、
を含むことを特徴とするプラズマディスプレイ装置。
【請求項８】
前記単一エネルギー回収回路部は、
前記スキャン電極と前記サステイン電極にサステインパルスを供給するためのエネルギーを回収して格納する共通エネルギー格納部及び前記共通エネルギー格納部に格納されたエネルギーを前記スキャン電極と前記サステイン電極に供給する共通インダクタ部を含むことを特徴とする請求項７に記載のプラズマディスプレイ装置。
【請求項９】
前記第１スイッチ部と前記スキャン電極との間に接続されるスキャンＩＣ（Integated Circuit）を更に含むことを特徴とする請求項７に記載のプラズマディスプレイ装置。
【請求項１０】
前記単一エネルギー回収回路部、前記第１スイッチ部、前記第２スイッチ部及び前記スキャンＩＣは単一駆動ボードに形成されることを特徴とする請求項９に記載のプラズマディスプレイ装置。
【請求項１１】
前記第１スイッチ部は前記サステインパルスが前記スキャン電極に供給される時にターン−オンされ、前記第２スイッチ部は前記サステインパルスが前記サステイン電極に供給される時にターン−オンされることを特徴とする請求項７に記載のプラズマディスプレイ装置。
【請求項１２】
前記第１スイッチ部及び前記第２スイッチ部のターン−オン時間は前記サステインパルスが供給される時間と実質的に同一であることを特徴とする請求項１１に記載のプラズマディスプレイ装置。
【請求項１３】
前記ターン−オン状態の第１スイッチ部は前記スキャン電極に供給されるサステインパルスの供給が終わった時点と前記スキャン電極に供給される前記サステインパルスに続けて前記サステイン電極に供給されるサステインパルスの供給時点との間にターン−オフされ、
前記ターン−オン状態の第２スイッチ部は前記サステイン電極に供給されるサステインパルスの供給が終わった時点と前記サステイン電極に供給される前記サステインパルスに続けて前記スキャン電極に供給されるサステインパルスの供給時点との間にターン−オフされることを特徴とする請求項１１に記載のプラズマディスプレイ装置。
【請求項１４】
複数のスキャン電極及び複数のサステイン電極を含むプラズマディスプレイパネルと、
前記スキャン電極と前記サステイン電極に印加されるサステインパルスの供給を制御する単一エネルギー回収回路部と、
前記複数のスキャン電極のうち、第１スキャン電極群と、前記複数のサステイン電極のうち、第２サステイン電極群に同時に第１サステインパルスを供給するようにする第１スイッチ部と、
前記複数のスキャン電極のうち、第２スキャン電極群と、前記複数のサステイン電極のうち、第１サステイン電極群に前記第１サステインパルスと交互に第２サステインパルスを供給するようにする第２スイッチ部と、
を含むことを特徴とするプラズマディスプレイ装置。
【請求項１５】
前記単一エネルギー回収回路部は前記スキャン電極と前記サステイン電極にサステインパルスを供給するためのエネルギーを回収して格納する共通エネルギー格納部及び前記共通エネルギー格納部に格納されたエネルギーを前記スキャン電極と前記サステイン電極に供給する共通インダクタ部を含むことを特徴とする請求項１４に記載のプラズマディスプレイ装置。
【請求項１６】
前記第１スイッチ部と前記第１スキャン電極群との間に接続される第１スキャンＩＣ及び前記第２スイッチ部と前記第２スキャン電極群との間に接続される第２スキャンＩＣを更に含むことを特徴とする請求項１４に記載のプラズマディスプレイ装置。
【請求項１７】
前記第１スイッチ部は一端が前記単一エネルギー回収回路部と連結され、他端は前記第１スキャンＩＣ及び前記第２サステイン電極群と共通連結され、前記第２スイッチ部は一端が前記単一エネルギー回収回路部と前記第１スイッチ部との間に共通連結され、他端は前記第２スキャンＩＣ及び前記第１サステイン電極群と共通連結されることを特徴とする請求項１６に記載のプラズマディスプレイ装置。
【請求項１８】
前記単一エネルギー回収回路部、前記第１スイッチ部、前記第２スイッチ部、前記第１スキャンＩＣ及び前記第２スキャンＩＣは単一駆動ボードに形成されることを特徴とする請求項１６に記載のプラズマディスプレイ装置。
【請求項１９】
前記複数のスキャン電極のうち、上部の半分領域のスキャン電極が第１スキャン電極群であり、下部の半分領域のスキャン電極は第２スキャン電極群であり、
前記複数のサステイン電極のうち、上部の半分領域のサステイン電極が第１サステイン電極群であり、下部の半分領域のサステイン電極は第２サステイン電極群であることを特徴とする請求項１４に記載のプラズマディスプレイ装置。
【請求項２０】
前記第１スイッチ部は前記第１サステインパルスが前記第１スキャン電極群及び前記第２サステイン電極群に供給される時にターン−オンされ、前記第２スイッチ部は前記第２サステインパルスが前記第２スキャン電極群及び前記第１サステイン電極群に供給される時にターン−オンされることを特徴とする請求項１４に記載のプラズマディスプレイ装置。
【請求項２１】
前記第１スイッチ部及び前記第２スイッチ部のターン−オン時間は、前記サステインパルスが供給される時間と実質的に同一であることを特徴とする請求項２０に記載のプラズマディスプレイ装置。
【請求項２２】
前記ターン−オン状態の第１スイッチ部は、前記第１スキャン電極群及び前記第２サステイン電極群に供給されるサステインパルスの供給が終わった時点と前記第１スキャン電極群及び前記第２サステイン電極群に供給される前記サステインパルスに続けて前記第２スキャン電極群及び前記第１サステイン電極群に供給されるサステインパルスの供給時点との間にターン−オフされ、
前記ターン−オン状態の第２スイッチ部は、前記第２スキャン電極群及び前記第１サステイン電極群に供給されるサステインパルスの供給が終わった時点と前記第２スキャン電極群及び前記第１サステイン電極群に供給される前記サステインパルスに続けて前記第１スキャン電極群及び前記第２サステイン電極群に供給されるサステインパルスの供給時点との間にターン−オフされること、
を特徴とする請求項２０に記載のプラズマディスプレイ装置。
【請求項２３】
スキャン電極及びサステイン電極を含むプラズマディスプレイパネルの駆動方法であって、
単一エネルギー回収回路部から前記スキャン電極と前記サステイン電極にサステインパルスの供給のためのエネルギーが供給されるステップと、
単一サステインパルス生成部から前記スキャン電極と前記サステイン電極に印加される前記サステインパルスの実質的に２倍の周波数のパルスを生成するサステインパルス生成ステップと、
を含むことを特徴とするプラズマディスプレイ装置の駆動方法。
【請求項２４】
スイッチ部が所定のスイッチング動作を通じて前記スキャン電極と前記サステイン電極に前記サステインパルスが交互に供給されるようにすることを特徴とする請求項２３に記載のプラズマディスプレイ装置の駆動方法。
【請求項２５】
前記スイッチ部のターンオン時間は前記サステインパルスの供給時間の２倍と実質的に同一であることを特徴とする請求項２４に記載のプラズマディスプレイ装置の駆動方法。
【発明の詳細な説明】
【技術分野】
【０００１】
本発明は、プラズマディスプレイ装置及びその駆動方法に関するものである。
【背景技術】
【０００２】
一般に、プラズマディスプレイパネルは、前面パネルと後面パネルとの間に形成された隔壁が一つの単位セルをなすものであって、各セル内には、ネオン（Ｎｅ）、ヘリウム（Ｈｅ）またはネオン及びヘリウムの混合気体（Ｎｅ+Ｈｅ）のような主放電気体と少量のキセノンを含有する不活性ガスが充填されている。高周波電圧により放電される際、不活性ガスは真空紫外線（Vacuum  Ultraviolet  rays）を発生し、隔壁間に形成された蛍光体を発光させて画像が具現される。このようなプラズマディスプレイパネルは薄くて、かつ、軽い構成が可能であるので次世代の表示装置として脚光を浴びている。
【０００３】
図１は、一般的なプラズマディスプレイパネルと駆動部との間の連結関係を示す図である。
【０００４】
図１に示すように、前面パネル１５１と後面パネル１５２が合着してプラズマディスプレイパネル１５０をなす。このようなプラズマディスプレイパネル１５０の後面側に形成されたフレーム１００上には一例としてスキャンドライバボード１１１、Ｙ（スキャン電極）サステイン駆動ボード１１２、Ｚ（サステイン電極）サステイン駆動ボード１２０、データドライバボード１３０、コントロールボード１４０及び電源ボード（図示していない）が形成されている。
【０００５】
スキャンドライバボード１１１は、ＦＰＣ（Flexible  Printed  Circuit）１１３を通じてスキャンパルス及びリセットパルスなどをプラズマディスプレイパネル１５０に形成されたスキャン電極ライン（Ｙ１乃至Ｙｍ）に供給する。
【０００６】
Ｙサステイン駆動ボード１１２は、スキャンドライバボード１１１及びＦＰＣ１１３を通じてＹサステインパルスをスキャン電極ライン（Ｙ１乃至Ｙｍ）に供給する。
【０００７】
データドライバボード１３０は、フィルム型素子１３１を通じてデータパルスなどをプラズマディスプレイパネル２５０のデータ電極ライン（Ｘ１乃至Ｘｎ）に供給する。
【０００８】
Ｚサステイン駆動ボード１２０は、ＦＰＣ１２１を通じてバイアスパルス及びＺサステインパルスなどをプラズマディスプレイパネル１５０のサステイン電極ライン（Ｚ１乃至Ｚｍ）に供給する。
【０００９】
ここで、サステイン期間の駆動パルス、一例としてサステインパルスを供給するための駆動ボードは、Ｙサステイン駆動ボード１１２とＺサステイン駆動ボード１２０がある。このように、電極毎に駆動ボードが形成されることは各電極間に印加されるパルスの位相誤差による干渉やＥＭＩ（Electromagnetic Interference）を増加させる問題がある。また、プラズマディスプレイ装置の製作費用を増加させる。それだけでなく、高電圧スイッチの使用による出力インピーダンスの増加により駆動波形のノイズを増加させる問題がある。
【発明の開示】
【発明が解決しようとする課題】
【００１０】
本発明は、製作費用を低減させることができるプラズマディスプレイ装置及びその駆動方法を提供することをその目的とする。
【００１１】
また、本発明の他の目的は、回路のロジック数を減らし、回路素子の個数を減らすことができるプラズマディスプレイ装置及びその駆動方法を提供することにある。
【００１２】
また、本発明の他の目的は、駆動の信頼性を向上させることができるプラズマディスプレイ装置及びその駆動方法を提供することにある。
【課題を解決するための手段】
【００１３】
本発明の第１実施形態に係るプラズマディスプレイ装置は、スキャン電極及びサステイン電極を含むプラズマディスプレイパネルと、前記スキャン電極と前記サステイン電極に同一なエネルギー格納部と同一なインダクタ部を通じてサステインパルスの供給のためのエネルギーを供給する単一エネルギー回収回路部及び前記スキャン電極と前記サステイン電極でにサステインパルスを供給する単一サステインパルス生成部を含む単一サステイン駆動ボードと、を含む。
【００１４】
前記単一サステイン駆動ボードは、前記スキャン電極及び前記サステイン電極と一端が接続され、他端は前記単一エネルギー回収回路部と接続されて前記サステインパルスを前記スキャン電極と前記サステイン電極に交互に供給するようにするスイッチ部を更に含むことを特徴とする。
【００１５】
前記スイッチ部は、プッシュプルでターン−オンされて前記スキャン電極及び前記サステイン電極に前記サステインパルスを交互に供給するようにする第１スイッチ部と第２スイッチ部を含むことを特徴とする。
【００１６】
前記単一サステイン駆動ボードは一側が電極パッドを通じて前記スキャン電極と接続され、他側が共通電極ラインを通じて共通連結された複数のサステイン電極と接続されることを特徴とする。
【００１７】
前記共通電極ラインは複数個であり、各々の共通電極ラインは前記複数のサステイン電極のうち、一部と連結されたことを特徴とする。
【００１８】
前記複数の共通電極ラインは２つであることを特徴とする。
【００１９】
本発明の第２実施形態に係るプラズマディスプレイ装置は、スキャン電極及びサステイン電極を含むプラズマディスプレイパネルと、前記スキャン電極と前記サステイン電極に印加されるサステインパルスの供給を制御する単一エネルギー回収回路部と、前記単一エネルギー回収回路部と前記スキャン電極との間に接続されて前記スキャン電極に印加されるサステインパルスの供給を制御する第１スイッチ部と、前記単一エネルギー回収回路部と前記第１スイッチ部との間に一端が共通接続され、他端は前記サステイン電極に接続されて前記サステイン電極に印加されるサステインパルスの供給を制御する第２スイッチ部と、を含む。
【００２０】
前記単一エネルギー回収回路部は、前記スキャン電極と前記サステイン電極にサステインパルスを供給するためのエネルギーを回収して格納する共通エネルギー格納部及び前記共通エネルギー格納部に格納されたエネルギーを前記スキャン電極と前記サステイン電極に供給する共通インダクタ部を含むことを特徴とする。
【００２１】
前記第１スイッチ部と前記スキャン電極との間に接続されるスキャンＩＣ（Integated Circuit）を更に含むことを特徴とする。
【００２２】
前記単一エネルギー回収回路部、前記第１スイッチ部、前記第２スイッチ部及び前記スキャンＩＣは単一駆動ボードに形成されることを特徴とする。
【００２３】
前記第１スイッチ部は前記サステインパルスが前記スキャン電極に供給される時にターン−オンされ、前記第２スイッチ部は前記サステインパルスが前記サステイン電極に供給される時にターン−オンされることを特徴とする。
【００２４】
前記第１スイッチ部及び前記第２スイッチ部のターン−オン時間は前記サステインパルスが供給される時間と実質的に同一であることを特徴とする。
【００２５】
前記ターン−オン状態の第１スイッチ部は前記スキャン電極に供給されるサステインパルスの供給が終わった時点と前記スキャン電極に供給される前記サステインパルスに続けて前記サステイン電極に供給されるサステインパルスの供給時点との間にターン−オフされ、前記ターン−オン状態の第２スイッチ部は前記サステイン電極に供給されるサステインパルスの供給が終わった時点と前記サステイン電極に供給される前記サステインパルスに続けて前記スキャン電極に供給されるサステインパルスの供給時点との間にターン−オフされることを特徴とする。
【００２６】
本発明の第３実施形態に係るプラズマディスプレイ装置は、複数のスキャン電極及び複数のサステイン電極を含むプラズマディスプレイパネルと、前記スキャン電極と前記サステイン電極に印加されるサステインパルスの供給を制御する単一エネルギー回収回路部と、前記複数のスキャン電極のうち、第１スキャン電極群と、前記複数のサステイン電極のうち、第２サステイン電極群に同時に第１サステインパルスを供給するようにする第１スイッチ部と、前記複数のスキャン電極のうち、第２スキャン電極群と、前記複数のサステイン電極のうち、第１サステイン電極群に前記第１サステインパルスと交互に第２サステインパルスを供給するようにする第２スイッチ部と、を含む。
【００２７】
前記単一エネルギー回収回路部は前記スキャン電極と前記サステイン電極にサステインパルスを供給するためのエネルギーを回収して格納する共通エネルギー格納部及び前記共通エネルギー格納部に格納されたエネルギーを前記スキャン電極と前記サステイン電極に供給する共通インダクタ部を含むことを特徴とする。
【００２８】
前記第１スイッチ部と前記第１スキャン電極群との間に接続される第１スキャンＩＣ及び前記第２スイッチ部と前記第２スキャン電極群との間に接続される第２スキャンＩＣを更に含むことを特徴とする。
【００２９】
前記第１スイッチ部は一端が前記単一エネルギー回収回路部と連結され、他端は前記第１スキャンＩＣ及び前記第２サステイン電極群と共通連結され、前記第２スイッチ部は一端が前記単一エネルギー回収回路部と前記第１スイッチ部との間に共通連結され、他端は前記第２スキャンＩＣ及び前記第１サステイン電極群と共通連結されることを特徴とする。
【００３０】
前記単一エネルギー回収回路部、前記第１スイッチ部、前記第２スイッチ部、前記第１スキャンＩＣ及び前記第２スキャンＩＣは単一駆動ボードに形成されることを特徴とする。
【００３１】
前記複数のスキャン電極のうち、上部の半分領域のスキャン電極が第１スキャン電極群であり、下部の半分領域のスキャン電極は第２スキャン電極群であり、前記複数のサステイン電極のうち、上部の半分領域のサステイン電極が第１サステイン電極群であり、下部の半分領域のサステイン電極は第２サステイン電極群であることを特徴とする。
【００３２】
前記第１スイッチ部は前記第１サステインパルスが前記第１スキャン電極群及び前記第２サステイン電極群に供給される時にターン−オンされ、前記第２スイッチ部は前記第２サステインパルスが前記第２スキャン電極群及び前記第１サステイン電極群に供給される時にターン−オンされることを特徴とする。
【００３３】
前記第１スイッチ部及び前記第２スイッチ部のターン−オン時間は、前記サステインパルスが供給される時間と実質的に同一であることを特徴とする。
【００３４】
前記ターン−オン状態の第１スイッチ部は、前記第１スキャン電極群及び前記第２サステイン電極群に供給されるサステインパルスの供給が終わった時点と前記第１スキャン電極群及び前記第２サステイン電極群に供給される前記サステインパルスに続けて前記第２スキャン電極群及び前記第１サステイン電極群に供給されるサステインパルスの供給時点との間にターン−オフされ、前記ターン−オン状態の第２スイッチ部は、前記第２スキャン電極群及び前記第１サステイン電極群に供給されるサステインパルスの供給が終わった時点と前記第２スキャン電極群及び前記第１サステイン電極群に供給される前記サステインパルスに続けて前記第１スキャン電極群及び前記第２サステイン電極群に供給されるサステインパルスの供給時点との間にターン−オフされることを特徴とする。
【００３５】
本発明の第４実施形態に係るスキャン電極及びサステイン電極を含むプラズマディスプレイパネルの駆動方法であって、単一エネルギー回収回路部から前記スキャン電極と前記サステイン電極にサステインパルスの供給のためのエネルギーが供給されるステップと、単一サステインパルス生成部から前記スキャン電極と前記サステイン電極に印加される前記サステインパルスの実質的に２倍の周波数のパルスを生成するサステインパルス生成ステップと、を含む。
【００３６】
スイッチ部が所定のスイッチング動作を通じて前記スキャン電極と前記サステイン電極に前記サステインパルスが交互に供給されるようにすることを特徴とする。
【００３７】
前記スイッチ部のターンオン時間は前記サステインパルスの供給時間の２倍と実質的に同一であることを特徴とする。
【発明の効果】
【００３８】
本発明は、単一駆動ボードから構成されるので、プラズマディスプレイ装置の製造費用を低減させ、空間活用度を向上させることができる効果がある。
【００３９】
また、本発明は、統合されたサステイン回路を利用してスキャン電極ライン及びサステイン電極ラインを駆動することによって両電極間の位相差による干渉やＥＭＩ（Electro magnetic Interference）を減らすことができる効果がある。
【００４０】
また、本発明は、回路のロジック数を低くして、回路素子の個数を減らすことができる効果がある。
【００４１】
また、本発明は、駆動の信頼性を向上させることができる効果がある。
【発明を実施するための最良の形態】
【００４２】
図２は、本発明のプラズマディスプレイパネルと駆動部との間の連結関係の一実施形態を示す図である。
【００４３】
図２に示すように、本発明のプラズマディスプレイ装置は、一例として、前面パネル２４１と後面パネル２４２が合着して画像を表示するプラズマディスプレイパネル２４０、前記プラズマディスプレイパネル２４０の後面側に形成されるフレーム２００、前記フレーム２００上に形成されることができる単一サステイン駆動ボード２１０、データドライバボード２２０、コントロールボード２３０及び電源ボード（図示していない）を含むことができる。
【００４４】
ここで、前記前面パネル２４１と後面パネル２４２が合着した間の空間には放電ガスが充填されている。また、一例として、前面パネル２４１は図２のプラズマディスプレイパネル２４０の長軸方向に並んで形成されたスキャン電極（Ｙ）ライン（図示していない）及びサステイン電極（Ｚ）ライン（図示していない）を含む。後面パネル２４２は、一例として、図２のプラズマディスプレイパネル２４０の短軸方向に前記スキャン電極（Ｙ）及びサステイン電極（Ｚ）と交差するように形成されるデータ電極（Ｘ）ラインを含む。前記スキャン電極（Ｙ）、サステイン電極（Ｚ）及びデータ電極（Ｘ）が交差地点に対応する位置に放電セルが形成されて放電を起こして画像が具現される。
【００４５】
単一サステイン駆動ボード２１０はスキャン電極とサステイン電極に駆動パルスを印加することができる。即ち、１つの駆動ボードで２つの電極を全て駆動させることができるが、これに対する詳細な構成は図３以下に後述する。
【００４６】
単一サステイン駆動ボード２１０は一側が電極パッド２１１を通じてスキャン電極（Ｙ）と接続されてスキャン電極（Ｙ）にリセットパルス、スキャンパルス及びサステインパルスなどの駆動パルスを印加することができる。単一サステイン駆動ボード２１０の他側は共通電極ライン２１２を通じて共通に連結されたサステイン電極（Ｚ）と接続されてサステイン電極（Ｚ）にバイアスパルス及びサステインパルスなどを印加することができる。
【００４７】
ここで、前記電極パッド２１１は、一例として、ＦＰＣ（Flexible Printed Circuit）で形成されることができる。前記共通電極ライン２１２はプラズマディスプレイパネル２４０のロード（負荷）を減らすために複数個で形成されて複数のサステイン電極中の一部と連結されることができる。
【００４８】
一例として、共通電極ライン２１２を２つのラインに分けて、複数のサステイン電極（Ｚ）も２つのグループに分けて、各サステイン電極グループを各々の共通電極ラインと接続することができる。このように共通電極ライン２１２を複数個に分けることは、パネルのロードを減少させるためである。即ち、プラズマディスプレイパネル２４０の大きさが大きくなるによって多くの電流が発生するようになって、共通電極ライン２１２にかかるロードが増加することになるが、複数の共通電極ライン２１２に分けることによって線抵抗を減らすことができる。これによって、サステイン電極（Ｚ）間のロード差を減らして駆動の信頼性を高めることになる。
【００４９】
データドライバボード２２０はフィルム型素子２２１を通じてデータパルスなどをプラズマディスプレイパネル２４０のデータ電極（Ｘ）ラインに供給する。ここで、フィルム型素子２２１は連結のための配線を有するＣＯＦ（Chip on Film）またはＴＣＰ（Tape Carrier  Package）で形成されることができる。
【００５０】
コントロールボード２３０は単一サステイン駆動ボード２１０及びデータドライバボード２２０を制御するためのタイミング制御信号を各々発生させる。
【００５１】
コントロールボード２３０はＦＰＣ２３１を経由してスキャン電極（Ｙ）タイミング制御信号とサステイン電極（Ｚ）タイミング制御信号を単一サステイン駆動ボード２１０に供給し、ＦＰＣ２３２を経由してデータ電極（Ｘ）タイミング制御信号をデータドライバボード２２０に供給する。
【００５２】
電源ボードは各々のボード２１０、２２０、２３０に電源を供給する。
【００５３】
前述した単一サステイン駆動ボード２１０、データドライバボード２２０、コントロールボード２３０及び電源ボードは複数のボス（図示していない）を利用してフレーム２００に締結される。
【００５４】
フレーム２００は、一例として、プラズマディスプレイパネル２４０の背面と全体的に重畳されるように設けられてプラズマディスプレイパネル２４０及び駆動ボード２１０、２２０、２３０が発生する熱を外部に放出する役割を遂行することができる。
【００５５】
以上、説明した本発明のプラズマディスプレイ装置が具現する駆動波形の一例を考察すると、次の図３の通りである。図３の駆動波形は本発明のプラズマディスプレイ装置のより詳細な構成の理解を助けるためのものであって、本発明がこの駆動方法に限るのでないことを明らかにする。
【００５６】
図３は、本発明のプラズマディスプレイ装置の駆動方法の一例を示す図である。
【００５７】
図３に示すように、本発明のプラズマディスプレイ装置が具現する多数のサブフィールドのうち、一つのサブフィールド（ＳＦ）での駆動方法の一例を示す駆動波形である。
【００５８】
図３を参照すれば、サブフィールド（ＳＦ）の各々は全画面の放電セルを初期化するためのリセット期間（ＲＰ）、放電セルを選択するためのアドレス期間（ＡＰ）及び選択された放電セルの放電を維持させて画像を具現するためのサステイン期間（ＳＰ）に分けられる。
【００５９】
リセット期間（ＲＰ）において、セットアップ期間（ＳＵ）には全てのスキャン電極（Ｙ）ラインにサステイン電圧（Ｖｓ）からピーク電圧（Ｖｓ＋Ｖｓｅｔｕｐ）まで所定の傾きで上昇する上りランプ波形（ＰＲ）が同時に印加される。この上りランプ波形（ＰＲ）により全画面のセル内には微弱な放電（セットアップ放電）が起こることになってセル内に壁電荷が生成される。セットダウン期間（ＳＤ）には上りランプ波形（ＰＲ）のピーク電圧（Ｖｓ＋Ｖｓｅｔｕｐ）より低い正極性（＋）のサステイン電圧（Ｖｓ）から負極性のスキャン電圧（−ＶＹ）まで下降する下りランプ波形（ＮＲ）が全てのスキャン電極（Ｙ）ラインに同時に印加される。この下りランプ波形（ＮＲ）はセル内に微弱な消去放電を起こすことによって、セットアップ放電により生成された壁電荷及び空間電荷のうち、不要電荷を消去させることになり、全画面のセル内にアドレス放電に必要な壁電荷を均一に残留させることになる。
【００６０】
アドレス期間（ＡＰ）には負極性（−）のスキャンパルス（ＳＣＮＰ）がスキャン電極（Ｙ）ラインに順次に印加されると共に、データ電極（Ｘ）ラインに正極性（＋）のデータパルス（ＤＰ）が印加される。このスキャンパルス（ＳＣＮＰ）とデータパルス（ＤＰ）の電圧差とリセット期間（ＲＰ）に生成された壁電圧が加えられながらデータパルス（ＤＰ）が印加されるセル内にはアドレス放電が発生される。このような、アドレス放電により選択されたセル内には壁電荷が生成される。
【００６１】
一方、セットダウン期間（ＳＤ）の間とアドレス期間（ＡＰ）の間とにサステイン電極（Ｚ）ラインには正極性（＋）のサステイン電圧（Ｖｓ）が印加される。
【００６２】
サステイン期間（ＳＰ）にはスキャン電極（Ｙ）ラインとサステイン電極（Ｚ）ラインに交互にサステインパルス（ＳＵＳＰ）が印加される。すると、アドレス放電により選択されたセルはセル内の壁電圧とサステインパルス（ＳＵＳＰ）が加えられながら毎サステインパルス（ＳＵＳＰ）が印加される度にスキャン電極（Ｙ）とサステイン電極（Ｚ）間に面放電形態でサステイン放電が起こることになる。ここで、サステインパルス（ＳＵＳＰｓ）はサステイン電圧（Ｖｓ）と同一な電圧値を有する。
【００６３】
以下では、本発明のプラズマディスプレイ装置が具現されるいろいろな実施形態を図面を参照しつつ説明する。
【００６４】
図４は、本発明のプラズマディスプレイ装置の単一サステイン駆動ボード２１０の第１実施形態を示す図である。
【００６５】
図４に示すように、本発明の一実施形態に係るプラズマディスプレイ装置はプラズマディスプレイパネルの等価キャパシタ（Ｃｐ）と単一サステイン駆動ボード２１０を含み、単一サステイン駆動ボード２１０はＹ−Ｚ統合サステイン回路部４１０及びスイッチ部４２０を含むことができる。
【００６６】
Ｙ−Ｚ統合サステイン回路部４１０はパネルキャパシタ（Ｃｐ）のスキャン電極（Ｙ）及びサステイン電極（Ｚ）にサステインパルス（ＳＵＳＰ）を供給する。前記Ｙ−Ｚ統合サステイン回路部４１０は前記両電極にサステインパルスを供給するために単一エネルギー回収回路部（図示していない）と単一サステインパルス生成部（図示していない）を含むが、これに対する詳細な構成は図５で後述する。
【００６７】
スイッチ部４２０は一端が前記スキャン電極（Ｙ）及び前記サステイン電極（Ｚ）と接続され、他端が前記Ｙ−Ｚ統合サステイン回路部４１０と接続される。スイッチ部４２０はサステインパルス（ＳＵＳＰ）がスキャン電極（Ｙ）とサステイン電極（Ｚ）に交互に供給できるようにＹ−Ｚ統合サステイン回路部４１０を制御する。
【００６８】
スイッチ部４２０は複数のスイッチを含むことができる。一例として、スイッチ部４２０の第１スイッチ部（ＳＷ１）及び第２スイッチ部（ＳＷ２）がプッシュプルでターン−オンされて、前記スキャン電極（Ｙ）とサステイン電極（Ｚ）にサステインパルス（ＳＵＳＰ）を交互に供給できる。
【００６９】
一例として、図４に表れた本発明の第１実施形態において、スイッチ部４２０の第１スイッチ部（ＳＷ１）はＹ−Ｚ統合サステイン回路部４１０とスキャン電極（Ｙ）との間に接続されて、スキャン電極（Ｙ）に印加されるサステインパルスの供給を制御することができる。そして、第２スイッチ部（ＳＷ２）は一端がＹ−Ｚ統合サステイン回路部４１０と第１スイッチ部（ＳＷ１）との間に共通接続され、他端はサステイン電極（Ｚ）に接続されてサステイン電極（Ｚ）に印加されるサステインパルスの供給を制御することができる。
【００７０】
本発明の一実施形態に係るプラズマディスプレイ装置のうち、単一サステイン駆動ボード２１０はスキャン電極（Ｙ）を駆動するためのスキャンドライバＩＣ（Integrated Circuit）４００を更に含むことができる。
【００７１】
スキャンドライバＩＣ（Integrated Circuit）４００は第１スイッチ部（ＳＷ１）とスキャン電極（Ｙ）との間に接続されてスキャン電極（Ｙ）にリセット期間のセットアップパルス（Ｖｓｅｔｕｐ）及びセットダウンパルス（ＮＲ）とアドレス期間のスキャンパルス（ＳＣＮＰ）等を供給することができる。
【００７２】
前記した本発明の一実施形態に係るプラズマディスプレイ装置のうち、単一サステイン駆動ボード２１０に形成される図４のＹ−Ｚ統合サステイン回路部４１０の具体的な構成を考察すると、次の図５の通りである。図５のＹ−Ｚ統合サステイン回路部４１０は発明の構成及び役割をより明確にするためのものであって、本発明の構成がこれに限るのでないことを明らかにする。
【００７３】
図５は、図４の本発明のＹ−Ｚ統合サステイン回路部の構成の一例を示す図である。
【００７４】
図５に示すように、本発明の一実施形態に係るプラズマディスプレイ装置のうち、図４のＹ−Ｚ統合サステイン回路部４１０は単一エネルギー回収回路部４１１と単一サステインパルス生成部４１２を含む。
【００７５】
単一エネルギー回収回路部４１１は、パネル（Ｃｐ）のスキャン電極（Ｙ）及びサステイン電極（Ｚ）に同一なエネルギー格納部と同一なインダクタ部を通じて共振を形成してサステインパルスの供給のためのエネルギーを供給し、パネル（Ｃｐ）の無効エネルギーを回収する。
【００７６】
一例として、単一エネルギー回収回路部４１１はスキャン電極（Ｙ）とサステイン電極（Ｚ）にサステインパルスを供給するためのエネルギーを回収して格納する共通エネルギー格納部（Ｃ）及び共通エネルギー格納部（Ｃ）に格納されたエネルギーを共振を通してスキャン電極（Ｙ）とサステイン電極（Ｚ）に供給するための共通インダクタ部（Ｌ）を含む。
【００７７】
また、単一エネルギー回収回路部４１１は共通エネルギー格納部（Ｃ）と共通インダクタ部（Ｌ）との間に並列に接続される第１スイッチ（Ｑ１）及び第１ダイオード（Ｄ１）、第２ダイオード（Ｄ２）及び第２スイッチ（Ｑ２）を含む。
【００７８】
単一サステインパルス生成部４１２はスキャン電極（Ｙ）とサステイン電極（Ｚ）にサステインパルスを供給する。一例として、単一サステインパルス生成部４１２はサステイン電圧（Ｖｓ）を供給するサステイン電圧源と前記共通インダクタ部（Ｌ）との間に接続される第３スイッチ（Ｑ３）及びグラウンドレベル（ＧＮＤ）の電圧を供給する基底電圧源と前記共通インダクタ（Ｌ）との間に接続される第４スイッチ（Ｑ４）を含む。
【００７９】
このようなＹ−Ｚ統合サステイン回路部４１０の動作過程を説明すれば次の通りである。共通エネルギー格納部（Ｃ）にはＶｓ／２電圧が充電されていると仮定する。
【００８０】
まず、第１スイッチ（Ｑ１）がターン−オン（Turn  On）されると共通エネルギー格納部（Ｃ）に充電されたエネルギーは第１スイッチ（Ｑ１）、第１ダイオード（Ｄ１）及びインダクタ（Ｌ）を経由して図４のスイッチ部４２０、ＳＷに供給される。
【００８１】
図４のスイッチ部４２０、ＳＷは所定のスイッチング動作でエネルギーがスキャン電極（Ｙ）またはサステイン電極（Ｚ）に供給できるように制御するが、これに対しては図６以後でより詳細に説明する。
【００８２】
インダクタ部（Ｌ）はプラズマディスプレイパネルの静電容量（Ｃｐ）と直列ＬＣ共振回路を構成することになるので、スキャン電極（Ｙ）ラインまたはサステイン電極（Ｚ）にはＶｓの電圧が供給される。
【００８３】
以後、第３スイッチ（Ｑ３）がターン−オンされる。第３スイッチ（Ｑ３）がターン−オンされるとサステインパルス生成部４１２のサステイン電圧（Ｖｓ）が図４のスイッチ部（ＳＷ）に供給される。図４のスイッチ部（ＳＷ）は所定のスイッチング動作でサステイン電圧（Ｖｓ）がスキャン電極（Ｙ）またはサステイン電極（Ｚ）に供給できるように制御するが、これに対しては図６以後でより詳細に説明する。
【００８４】
サステイン電圧（Ｖｓ）によりスキャン電極（Ｙ）ラインまたはサステイン電極（Ｚ）ライン上の電圧レベルはサステイン電圧（Ｖｓ）を維持し、これによってパネル（Ｃｐ）の放電セルでサステイン放電が起こることになる。
【００８５】
サステイン放電が起こった後、第２スイッチ（Ｑ２）がターン−オンされる。第２スイッチ（Ｑ２）がターン−オンされるとスキャン電極（Ｙ）ラインまたはサステイン電極（Ｚ）ラインからスイッチ部（ＳＷ）、インダクタ部（Ｌ）、第２ダイオード（Ｄ２）及び第２スイッチ（Ｑ２）を経由して無効電力が共通エネルギー格納部（Ｃ）に回収される。即ち、共通エネルギー格納部（Ｃ）にプラズマディスプレイパネル（Ｃｐ）のエネルギーが回収される。
【００８６】
次に、第４スイッチ（Ｑ４）がターン−オンされてスキャン電極（Ｙ）ラインまたはサステイン電極（Ｚ）ライン上の電圧をグラウンドレベルの電位（ＧＮＤ）に維持する。
【００８７】
前述したように、Ｙ−Ｚ統合サステイン回路部４１０プラズマディスプレイパネル（Ｃｐ）から無効エネルギーを回収した後、回収されたエネルギーを利用してスキャン電極（Ｙ）ラインまたはサステイン電極（Ｚ）ライン上に電圧を供給することによってプラズマディスプレイパネル（Ｃｐ）駆動時の過度な消費電力を減らすことができる。
【００８８】
このように、本発明のプラズマディスプレイ装置は、スキャン電極（Ｙ）とサステイン電極（Ｚ）を全て駆動できるＹ−Ｚ統合サステイン回路部４１０の構成により回路のロジック数を減らし、回路素子の個数を減らすことができる。
【００８９】
これはまた、前記単一エネルギー回収回路部４１１及びサステインパルス生成部４１２を含むＹ−Ｚ統合サステイン回路部４１０、スイッチ部４２０及びスキャンドライバＩＣ４００等の駆動回路を単一駆動ボードに形成することを可能にしてプラズマディスプレイ装置の製造費用を低減させ、空間活用度を向上させることができる効果がある。
【００９０】
また、前述したスイッチ部４２０の構成を通じてサステイン電圧（Ｖｓ）を制御できるようになることによって、高い耐電圧特性が要求される回路部の負担を減らすことができる効果がある。これによって、スイッチング電圧も低くすることになる。
【００９１】
このように、サステイン電圧（Ｖｓ）を制御できることになることによって、従来のサステイン電圧（Ｖｓ）と他の駆動電圧間との差の電圧大きさのような高電圧を耐えるべき耐電圧特性の高い素子を使用する必要がなくなる。
【００９２】
これは製造費用を低くすることができるだけでなく、耐電圧特性が比較的低い素子を使用することによって出力インピーダンスを減らすことができる効果がある。これは波形のノイズを縮めて、より正確な駆動を可能にすることができる。
【００９３】
また、正確な駆動波形を供給できることになることによって、回路の安定度が向上するだけでなく、ＥＭＩ（Electromagnetic Interference）の影響が大きく低減されることができる。
【００９４】
本発明のプラズマディスプレイ装置では、Ｙ−Ｚ統合サステイン回路部を通じてスキャン電極（Ｙ）とサステイン電極（Ｚ）を全て駆動するためにスイッチ部４２０（ＳＷ）のスイッチング動作を利用しているが、このようなスイッチ部（ＳＷ）のスイッチング動作に対して考察すると次の図６の通りである。
【００９５】
図６は、図４の本発明のプラズマディスプレイ装置の第１実施形態に係るスイッチタイミングの一実施形態を示す図である。
【００９６】
図６に示すように、図５のＹ−Ｚ統合サステイン回路部４１０はコントロールボード２３０から供給されるＹ−Ｚ統合タイミング制御信号によってサステイン期間（ＳＰ）に多数のサステインパルス（ＳＵＳＰ）を発生し、スイッチ部４２０のスイッチング動作によりスキャン電極（Ｙ）またはサステイン電極（Ｚ）にサステインパルス（ＳＵＳＰ）を交互に供給する。
【００９７】
本発明の一実施形態によって、第１スイッチ部（ＳＷ１）はスキャン電極（Ｙ）にサステインパルス（ＳＵＳＰ）が供給される時にターン−オンされ、第２スイッチ部（ＳＷ２）はサステイン電極（Ｚ）にサステインパルス（ＳＵＳＰ）が供給される時にターン−オンされる。
【００９８】
前記スイッチタイミングの一実施形態において、第１スイッチ部（ＳＷ１）及び第２スイッチ部（ＳＷ２）はサステインパルス（ＳＵＳＰ）の供給時間と実質的に同一な時間間ターン−オン状態を維持することができる。
【００９９】
即ち、第１スイッチ部（ＳＷ１）のターン−オンによりサステインパルス（ＳＵＳＰ）がスキャン電極（Ｙ）に供給され、第２スイッチ部（ＳＷ２）のターン−オンによりサステインパルス（ＳＵＳＰ）がサステイン電極（Ｚ）に供給されるのである。
【０１００】
図７は、図４の本発明のプラズマディスプレイ装置の一実施形態に係るスイッチタイミングの他の実施形態を示す図である。
【０１０１】
図７に示すように、図５のＹ−Ｚ統合サステイン回路部４１０はコントロールボード２３０から供給されるＹ−Ｚ統合タイミング制御信号によってサステイン期間（ＳＰ）に多数のサステインパルス（ＳＵＳＰ）を発生し、スイッチ部４２０のスイッチング動作によりスキャン電極（Ｙ）またはサステイン電極（Ｚ）にサステインパルス（ＳＵＳＰ）を交互に供給する。
【０１０２】
本発明の一実施形態によって第１スイッチ部（ＳＷ１）はスキャン電極（Ｙ）にサステインパルス（ＳＵＳＰ）が供給される時にターン−オンされ、第２スイッチ部（ＳＷ２）はサステイン電極（Ｚ）にサステインパルス（ＳＵＳＰ）が供給される時にターン−オンされる。
【０１０３】
前記スイッチタイミングの他の実施形態において、ターン−オン状態の第１スイッチ部（ＳＷ１）は前記スキャン電極（Ｙ）に供給されるサステインパルス（ＳＵＳＰ）の供給が終わった時点と前記スキャン電極（Ｙ）に供給される前記サステインパルス（ＳＵＳＰ）に続けて前記サステイン電極（Ｚ）に供給されるサステインパルス（ＳＵＳＰ）の供給時点との間にターン−オフさせることができ、前記ターン−オン状態の第２スイッチ部（ＳＷ２）は前記サステイン電極（Ｚ）に供給されるサステインパルス（ＳＵＳＰ）の供給が終わった時点と前記サステイン電極（Ｚ）に供給される前記サステインパルス（ＳＵＳＰ）に続けて前記スキャン電極（Ｙ）に供給されるサステインパルス（ＳＵＳＰ）の供給時点との間にターン−オフさせることができる。
【０１０４】
一例として、図７のように、第１スイッチ部（ＳＷ１）及び第２スイッチ部（ＳＷ２）をサステインパルス（ＳＵＳＰ）の供給時間の略２倍の時間の間ターン−オン状態を維持することができる。これは周波数を異なるように駆動して回路駆動時のノイズを減らすためである。
【０１０５】
即ち、サステインパルス生成部４１２がサステインパルス（ＳＵＳＰ）の実質的に２倍の周波数のパルスを生成することになればスイッチ部４２０はサステインパルス（ＳＵＳＰ）維持時間の２倍の時間間ターン−オンされていなければサステインパルス（ＳＵＳＰ）が供給されることができない。このように、周波数が大きくなったりあるいは小さくなる等、変わる全ての場合にもスイッチのタイミングを調節して多様に駆動できるものである。
【０１０６】
前述したように、スイッチング動作を利用して同一な駆動部からスキャン電極（Ｙ）とサステイン電極（Ｚ）にサステインパルス（ＳＵＳＰ）を供給することによって、両電極間のサステインパルス（ＳＵＳＰ）の位相差による干渉やＥＭＩ（Electromagnetic Inference）を減らすことができる。これによって駆動の信頼性を向上させることができる。
【０１０７】
図８は、本発明のプラズマディスプレイ装置の単一サステイン駆動ボード２１０の第２実施形態を示す図である。
【０１０８】
図８に示すように、本発明の他の実施形態に係るプラズマディスプレイ装置はプラズマディスプレイパネルの等価キャパシタ（Ｃｐ）と単一サステイン駆動ボード２１０を含み、単一サステイン駆動ボード２１０はＹ−Ｚ統合サステイン回路部８１０及びスイッチ部８２０を含むことができる。
【０１０９】
Ｙ−Ｚ統合サステイン回路部８１０はパネルキャパシタ（Ｃｐ）の無効エネルギーを格納してスキャン電極（Ｙ）及びサステイン電極（Ｚ）にエネルギーを供給する単一エネルギー回収回路部（図示していない）とスキャン電極（Ｙ）及びサステイン電極（Ｚ）にサステインパルス（ＳＵＳＰ）を供給する単一サステインパルス生成部（図示していない）を含むが、これに対する詳細な構成の一例は図５で前述したので省略する。
【０１１０】
図８の本発明の第２実施形態において、スイッチ部８２０の第１スイッチ部（ＳＷ１）は一端がＹ−Ｚ統合サステイン回路部８１０と接続され、他端は複数のスキャン電極のうち、第１スキャン電極群（ＹＧ１）と複数のサステイン電極のうち、第２サステイン電極群（ＺＧ２）に共通連結される。第１スイッチ部（ＳＷ１）がターン−オンされると第１スキャン電極群（ＹＧ１）と第２サステイン電極群（ＺＧ２）に同時に第１サステインパルスが供給される。
【０１１１】
前記スイッチ部８２０の第２スイッチ部（ＳＷ２）は一端がＹ−Ｚ統合サステイン回路部８１０と第１スイッチ部（ＳＷ１）との間に共通連結され、他端は複数のスキャン電極のうち、第２スキャン電極群（ＹＧ２）と複数のサステイン電極のうち、第１サステイン電極群（ＺＧ１）に共通連結される。第２スイッチ部（ＳＷ２）がターン−オンされると、第２スキャン電極群（ＹＧ２）と第１サステイン電極群（ＺＧ１）に前記第１サステインパルスと交互に第２サステインパルスが供給される。
【０１１２】
本発明の第２実施形態に係るプラズマディスプレイ装置のうち、単一サステイン駆動ボード２１０はスキャン電極（Ｙ）を駆動するためのスキャンドライバＩＣ（Integrated Circuit）８０１、８０２を更に含むことができる。
【０１１３】
スキャンドライバＩＣ（Integrated Circuit）は第１スイッチ部（ＳＷ１）と第１スキャン電極群（ＹＧ１）との間に接続される第１スキャンドライバＩＣ８０１と第２スイッチ部（ＳＷ２）と第２スキャン電極群（ＹＧ２）との間に接続される第２スキャンドライバＩＣ８０２を含む。
【０１１４】
第１スキャンドライバＩＣ８０１は第１スキャン電極群（ＹＧ１）にリセット期間のセットアップパルス（Ｖｓｅｔｕｐ）及びセットダウンパルス（ＮＲ）とアドレス期間のスキャンパルス（ＳＣＮＰ）等を供給することができ、第２スキャンドライバＩＣ８０２は第２スキャン電極群（ＹＧ２）にリセット期間のセットアップパルス（Ｖｓｅｔｕｐ）及びセットダウンパルス（ＮＲ）とアドレス期間のスキャンパルス（ＳＣＮＰ）等を供給することができる。
【０１１５】
ここで、複数のスキャン電極を第１スキャン電極群（ＹＧ１）と第２スキャン電極群（ＹＧ２）とに分けて、複数のサステイン電極を第１サステイン電極群（ＺＧ１）と第２サステイン電極群（ＺＧ２）とに分けられる。このように電極を群に分けて駆動することはパネルに加えられるロードを減らすためである。
【０１１６】
一例として、複数のスキャン電極のうち、上部の半分領域のスキャン電極を第１スキャン電極群（ＹＧ１）、下部の半分領域のスキャン電極を第２スキャン電極群（ＹＧ２）に分けられる。そして、複数のサステイン電極のうち、上部の半分領域のサステイン電極を第１サステイン電極群（ＺＧ１）、下部の半分領域のサステイン電極を第２サステイン電極群（ＺＧ２）に分けられる。このように、サステインパルス印加の際、パネル上部領域と下部領域を分けて駆動してパネルのロードを半分以上減らすことができる効果が表れることになる。
【０１１７】
即ち、プラズマディスプレイパネルに等価されるキャパシタ（Ｃｐ）はスキャン電極（Ｙ）とサステイン電極（Ｚ）との間に存在するキャパシタ値の総和に対応する。このようなキャパシタ値は駆動に重大な影響を及ぼす要因である。
【０１１８】
本発明の第２実施形態では、一例として、パネルの上部領域のスキャン電極（ＹＧ１）にサステインパルスが印加されると共に、下部領域のサステイン電極（ＺＧ２）にもサステインパルスが印加できるようにする。
【０１１９】
また、パネルの下部領域のスキャン電極（ＹＧ２）にサステインパルスが印加される時には上部領域のサステイン電極（ＺＧ１）にサステインパルスが印加できるようにしてスキャン電極（Ｙ）とサステイン電極（Ｚ）との間のキャパシタ値を減らすことができるのである。これによって、消費電力を低減することができ、パネルの大きさが増加することによる駆動回路の熱的負担も減らすことができる。また、ピーク電流等による回路の発熱問題を解決して駆動回路の信頼性を格段に向上させることになる。
【０１２０】
また、本発明の第２実施形態に係るプラズマディスプレイ装置も第１実施形態と同様に、単一エネルギー回収回路部（図示していない）及びサステインパルス生成部（図示していない）を含むＹ−Ｚ統合サステイン回路部８１０、スイッチ部８２０、第１スキャンドライバＩＣ８０１及び第２スキャンドライバＩＣ８０２等の駆動回路を単一駆動ボードに形成することを可能にしてプラズマディスプレイ装置の製造費用を低減させ、空間活用度を向上させることができる効果がある。又別の効果は前述したので省略する。
【０１２１】
図８のスイッチ部８２０は所定のスイッチング動作により、装置ではＹ−Ｚ統合サステイン回路部８１０からスキャン電極（Ｙ）とサステイン電極（Ｚ）にサステイン電圧（Ｖｓ）が供給できるように制御するが、これに対して考察すると次の図９の通りである。
【０１２２】
図９は、図８の本発明のプラズマディスプレイ装置の第２実施形態に係るスイッチタイミングの第１実施形態を示す図である。
【０１２３】
図９に示すように、図８のＹ−Ｚ統合サステイン回路部８１０はコントロールボード２３０から供給されるＹ−Ｚ統合タイミング制御信号によってサステイン期間（ＳＰ）に多数のサステインパルス（ＳＵＳＰ）を発生し、スイッチ部８２０のスイッチング動作によりスキャン電極（Ｙ）またはサステイン電極（Ｚ）にサステインパルス（ＳＵＳＰ）を交互に供給する。
【０１２４】
本発明の第２実施形態に係るスイッチングタイミングは、一例として、第１スイッチ部（ＳＷ１）は第１スキャン電極群（ＹＧ１）及び第２サステイン電極群（ＺＧ２）に第１サステインパルス（ＳＵＳＰ１）が供給される時にターン−オンされ、第２スイッチ部（ＳＷ２）は第２スキャン電極群（ＹＧ２）及び第１サステイン電極群（ＺＧ１）に第２サステインパルス（ＳＵＳＰ２）が供給される時にターン−オンされる。
【０１２５】
図９に表れたスイッチタイミングの第１実施形態では第１スイッチ部（ＳＷ１）及び第２スイッチ部（ＳＷ２）はサステインパルス（ＳＵＳＰ）の供給時間と実質的に同一な時間間ターン−オン状態を維持することができる。
【０１２６】
即ち、第１スイッチ部（ＳＷ１）のターン−オンにより第１サステインパルス（ＳＵＳＰ）が第１スキャン電極群（ＹＧ１）及び第２サステイン電極群（ＺＧ２）に供給され、第２スイッチ部（ＳＷ２）のターン−オンにより第１サステインパルスと交互する第２サステインパルス（ＳＵＳＰ２）が第２スキャン電極群（ＹＧ２）及び第１サステイン電極群（ＺＧ１）に供給されるのである。
【０１２７】
図１０は、図８の本発明のプラズマディスプレイ装置の第２実施形態に係るスイッチタイミングの第２実施形態を示す図である。
【０１２８】
図１０に示すように、図８のＹ−Ｚ統合サステイン回路部８１０はコントロールボード２３０から供給されるＹ−Ｚ統合タイミング制御信号によってサステイン期間（ＳＰ）に多数のサステインパルス（ＳＵＳＰ）を発生し、スイッチ部８２０のスイッチング動作によりスキャン電極（Ｙ）またはサステイン電極（Ｚ）にサステインパルス（ＳＵＳＰ）を交互に供給する。
【０１２９】
本発明の第２実施形態に係るスイッチングタイミングにおいて、一例として、第１スイッチ部（ＳＷ１）は第１スキャン電極群（ＹＧ１）及び第２サステイン電極群（ＺＧ２）に第１サステインパルス（ＳＵＳＰ１）が供給される時にターン−オンされ、第２スイッチ部（ＳＷ２）は第２スキャン電極群（ＹＧ２）及び第１サステイン電極群（ＺＧ１）に第２サステインパルス（ＳＵＳＰ２）が供給される時にターン−オンされる。
【０１３０】
前記スイッチタイミングの第２実施形態において、ターン−オン状態の第１スイッチ部（ＳＷ１）は第１スキャン電極群（ＹＧ１）及び第２サステイン電極群（ＺＧ２）に供給されるサステインパルス（ＳＵＳＰ１）の供給が終わった時点と第１スキャン電極群（ＹＧ１）及び第２サステイン電極群（ＺＧ２）に供給されるサステインパルス（ＳＵＳＰ１）に続けて第２スキャン電極群（ＹＧ２）及び第１サステイン電極群（ＺＧ１）に供給されるサステインパルス（ＳＵＳＰ２）の供給時点との間にターン−オフさせることができる。また、ターン−オン状態の第２スイッチ部（ＳＷ２）は第２スキャン電極群（ＹＧ２）及び第１サステイン電極群（ＺＧ１）に供給されるサステインパルスの供給が終わった時点と第２スキャン電極群（ＹＧ２）及び第１サステイン電極群（ＺＧ１）に供給される前記サステインパルスに続けて第１スキャン電極群（ＹＧ１）及び第２サステイン電極群（ＺＧ２）に供給されるサステインパルスの供給時点との間にターン−オフさせることができる。
【０１３１】
一例として、図１０のように、第１スイッチ部（ＳＷ１）及び第２スイッチ部（ＳＷ２）をサステインパルス（ＳＵＳＰ１、２）の供給時間の略２倍の時間間ターン−オン状態を維持することができる。これは周波数を異に駆動して回路駆動の際、ノイズを減らすためであるが、前述したので詳細な説明は省略する。
【０１３２】
図１１は、図８の本発明のプラズマディスプレイ装置の第２実施形態に係るスイッチタイミングの第３実施形態を示す図である。
【０１３３】
図１１に示すように、図８のＹ−Ｚ統合サステイン回路部８１０はコントロールボード２３０から供給されるＹ−Ｚ統合タイミング制御信号によってサステイン期間（ＳＰ）に多数のサステインパルス（ＳＵＳＰ）を発生し、スイッチ部８２０のスイッチング動作でスキャン電極（Ｙ）またはサステイン電極（Ｚ）にサステインパルス（ＳＵＳＰ）を交互に供給する。
【０１３４】
本発明の第２実施形態に係るスイッチングタイミングにおいて、一例として、第１スイッチ部（ＳＷ１）は第１スキャン電極群（ＹＧ１）及び第２サステイン電極群（ＺＧ２）に第１サステインパルス（ＳＵＳＰ１）が供給される時にターン−オンされ、第２スイッチ部（ＳＷ２）は第２スキャン電極群（ＹＧ２）及び第１サステイン電極群（ＺＧ１）に第２サステインパルス（ＳＵＳＰ２）が供給される時にターン−オンされる。
【０１３５】
図１１のスイッチタイミングの第３実施形態では第２スイッチ部（ＳＷ２）を先にターン−オンさせて、第２スキャン電極群（ＹＧ２）及び第１サステイン電極群（ＺＧ１）に最初のサステインパルス、即ち、第１サステインパルス（ＳＵＳＰ１）が供給されるようにすることができる。以後、第１スイッチ部（ＳＷ１）をターン−オンさせて、第１スキャン電極群（ＹＧ１）及び第２サステイン電極群（ＺＧ２）に第２サステインパルス（ＳＵＳＰ２）を供給することができる。
【０１３６】
以下、他の構成は図９のスイッチタイミングの第１実施形態と同一であるので省略する。
【０１３７】
図１２は、図８の本発明のプラズマディスプレイ装置の第２実施形態に係るスイッチタイミングの第４実施形態を示す図である。
【０１３８】
図１２に示すように、図８のＹ−Ｚ統合サステイン回路部８１０はコントロールボード２３０から供給されるＹ−Ｚ統合タイミング制御信号によってサステイン期間（ＳＰ）に多数のサステインパルス（ＳＵＳＰ）を発生し、スイッチ部８２０のスイッチング動作でスキャン電極（Ｙ）またはサステイン電極（Ｚ）にサステインパルス（ＳＵＳＰ）を交互に供給する。
【０１３９】
本発明の第２実施形態に係るスイッチングタイミングにおいて、一例として、第１スイッチ部（ＳＷ１）は第１スキャン電極群（ＹＧ１）及び第２サステイン電極群（ＺＧ２）に第１サステインパルス（ＳＵＳＰ１）が供給される時にターン−オンされ、第２スイッチ部（ＳＷ２）は第２スキャン電極群（ＹＧ２）及び第１サステイン電極群（ＺＧ１）に第２サステインパルス（ＳＵＳＰ２）が供給される時にターン−オンされる。
【０１４０】
図１２のスイッチタイミングの第４実施形態では第２スイッチ部（ＳＷ２）を先にターン−オンさせて、第２スキャン電極群（ＹＧ２）及び第１サステイン電極群（ＺＧ１）に最初のサステインパルス、即ち、第１サステインパルス（ＳＵＳＰ１）が供給されるようにすることができる。以後、第１スイッチ部（ＳＷ１）をターン−オンさせて、第１スキャン電極群（ＹＧ１）及び第２サステイン電極群（ＺＧ２）に第２サステインパルス（ＳＵＳＰ２）を供給することができる。
【０１４１】
以下、他の構成は図１０のスイッチタイミングの第２実施形態と同一であるので省略する。
【０１４２】
以上、説明したように、スイッチング動作を利用して同一な駆動部からスキャン電極（Ｙ）とサステイン電極（Ｚ）にサステインパルス（ＳＵＳＰ）を供給することによって、両電極間のサステインパルス（ＳＵＳＰ）の位相差による干渉やＥＭＩ（Electromagnetic Interference）による悪影響を減らすことができる。これによって、駆動の信頼性を向上させることができる効果がある。
【０１４３】
図２で説明した本発明のプラズマディスプレイパネルと駆動部との間の連結構造の他の実施形態を以後の図１３及び図１４を参照しつつ説明する。
【０１４４】
図１３は、本発明のプラズマディスプレイパネルと駆動部間の連結関係の他の実施形態を示す図である。
【０１４５】
図１３に示すように、本発明のプラズマディスプレイ装置は、一例として、前面パネル２４１と後面パネル２４２が合着して画像を表示するプラズマディスプレイパネル２４０、前記プラズマディスプレイパネル２４０後面側に形成されるフレーム２００、前記フレーム２００上に形成できる単一サステイン駆動ボード２１０、データドライバボード２２０、コントロールボード２３０及び電源ボード（図示していない）を含むことができる。
【０１４６】
図２の構成とは異に、単一サステイン駆動ボード２１０とコントロールボード２３０と連結された位置が異なる。即ち、コントロールボード２３０がよりパネル上部側に形成されてデータドライバボード２２０との電気的干渉を減らすことができ、それによってＦＰＣ２３１及び共通電極ライン２１２の位置も変更されることができる。
【０１４７】
このような駆動部の位置は駆動特性に大きい影響を及ぼすことができる。即ち、プラズマディスプレイパネル２４０のロードを考慮して駆動部２１０、２２０、２３０の位置を適応的に選択できるものである。
【０１４８】
以後、他の構成の説明は図２の構成と重複するので省略する。
【０１４９】
図１４は、本発明のプラズマディスプレイパネルと駆動部との間の連結関係の又別の実施形態を示す図である。
【０１５０】
図１４に示すように、本発明のプラズマディスプレイ装置は、一例として、前面パネル２４１と後面パネル２４２が合着して画像を表示するプラズマディスプレイパネル２４０、前記プラズマディスプレイパネル２４０の後面側に形成されるフレーム２００、前記フレーム２００上に形成できる単一サステイン駆動ボード２１０、データドライバボード２２０、コントロールボード２３０及び電源ボード（図示していない）を含むことができる。
【０１５１】
図１４の実施形態では、図１３の構成とは異なり、デュアルスキャン駆動方式の駆動部でデータドライバボード２２０が上部と下部に対をなして形成される。また、単一サステイン駆動ボード２１０とサステイン電極（Ｚ）を接続するための２つの共通電極ライン２１２はクロス形態で形成されることもできる。
【０１５２】
以後、他の構成の説明は図２の構成と重複するので省略する。
【０１５３】
以上のように、本発明に係るプラズマディスプレイ装置を例示した図面を参照して説明したが、本発明は明細書に開示された実施形態と図面により限るのでなく、技術思想が保護される範囲内で応用されることができる。
【図面の簡単な説明】
【０１５４】
【図１】一般的なプラズマディスプレイパネルと駆動部との間の連結関係を示す図である。
【図２】本発明のプラズマディスプレイパネルと駆動部との間の連結関係の一実施形態を示す図である。
【図３】本発明のプラズマディスプレイ装置の駆動方法の一例を示す図である。
【図４】本発明のプラズマディスプレイ装置の単一サステイン駆動ボードの第１実施形態を示す図である。
【図５】図４の本発明のＹ−Ｚ統合サステイン回路部の構成の一例を示す図である。
【図６】図４の本発明のプラズマディスプレイ装置の第１実施形態に係るスイッチタイミングの一実施形態を示す図である。
【図７】図４の本発明のプラズマディスプレイ装置の第１実施形態に係るスイッチタイミングの他の実施形態を示す図である。
【図８】本発明のプラズマディスプレイ装置の単一サステイン駆動ボード２１０の第２実施形態を示す図である。
【図９】図８の本発明のプラズマディスプレイ装置の第２実施形態に係るスイッチタイミングの第１実施形態を示す図である。
【図１０】図８の本発明のプラズマディスプレイ装置の第２実施形態に係るスイッチタイミングの第２実施形態を示す図である。
【図１１】図８の本発明のプラズマディスプレイ装置の第２実施形態に係るスイッチタイミングの第３実施形態を示す図である。
【図１２】図８の本発明のプラズマディスプレイ装置の第２実施形態に係るスイッチタイミングの第４実施形態を示す図である。
【図１３】本発明のプラズマディスプレイパネルと駆動部との間の連結関係の他の実施形態を示す図である。
【図１４】本発明のプラズマディスプレイパネルと駆動部との間の連結関係の又別の実施形態を示す図である。
【符号の説明】
【０１５５】
１００、２００    フレーム
１１１    スキャンドライバボード
１１３、１２１、２３１    ＦＰＣ
１３０、２２０    データドライバボード
１３１    フィルム型素子
１４０、２３０    コントロールボード
１５１、２４１    前面パネル
１５２、２４２    後面パネル
１５０、２４０、２５０    プラズマディスプレイパネル
２１０    単一サステイン駆動ボード
２１１    電極パッド
２１２    共通電極ライン
２２１    フィルム型素子
【図５】
2006251803.tif 000003
【図６】
2006251803.tif 000004
【図７】
2006251803.tif 000005
【図９】
2006251803.tif 000006
【図１０】
2006251803.tif 000007
【図１１】
2006251803.tif 000008
【図１２】
2006251803.tif 000009
【図１】
2006251803.tif 000010
【図２】
2006251803.tif 000011
【図３】
2006251803.tif 000012
【図４】
2006251803.tif 000013
【図８】
2006251803.tif 000014
【図１３】
2006251803.tif 000015
【図１４】
2006251803.tif 000016